(57)【要約】【課題】枠の上下方向の大きさの違いがあっても、挟持手段による枠の固定を十分に行え、且つ遊技機の角度の調整に困難が生じない遊技機の取付装置を提供する。【解決手段】取付装置１００は、島の上板に固定されるベース部１１０を備えている。ベース部１１０には軸周りに回転でいるボルト１１４が設けられている。ボルト１１４にはナット１２１が螺合されている。ナット１２１はナットケース１２２に収納され、ナットケース１２２はバネ１２３により上向きに付勢される。ナットケース１２２下端には枠の上側の部分である上枠を挟持する固定具１３０が取付けられている。固定具１３０は、バネ１２３の付勢力に抗してナットケース１２２ごと押し下げることができる。【選択図】図４
2014171686.tif 000002
【特許請求の範囲】
【請求項１】
パチンコ遊技機がその上に載置される水平なテーブルと、テーブルに載置されたパチンコ遊技機の上方に位置する水平な上板とを備えているパチンコ遊技機設置台ユニットに取付けて用いられるものであり、枠に取付けられた状態のパチンコ遊技機を前記上板と固定するためのパチンコ遊技機の取付装置であって、
前記上板と固定されるベース部材と、
前記ベース部材にその長手方向が前記パチンコ遊技機の前後方向に沿うようにして取付けられた、前記上板の前記パチンコ遊技機の前に位置する棒状の軸体と、
前記軸体の長さ方向に相対的に移動可能として前記軸体に取付けられた移動体と、
前記移動体に取付けられた、前記枠の上側の部材である上枠を固定する固定手段と、
を備えており、
前記固定手段は、弾性体を備えており、当該弾性体から上向きに付勢される付勢力を受けた状態で前記移動体に取付けられているとともに、前記付勢力に抗して下向きに移動可能となっている、
パチンコ遊技機の取付装置。
【請求項２】
前記軸体は、その軸周りに回転可能とされたボルトであり、
前記移動体は、前記軸体に取付けられたナットであり、
ナットである前記移動体は、前記軸体の回転に応じて前記軸体の長さ方向に移動可能となっている、
請求項１記載のパチンコ遊技機の取付装置。
【請求項３】
前記固定手段は、前記固定手段から前記軸体を跨いで前記移動体の上方まで上向きに延びる接続部と、前記接続部の上に設けられた水平の板とを備えているとともに、
前記弾性体は、圧縮した状態で、その下端を前記移動体に、その上端を前記板に当接させられており、
前記固定手段は、前記弾性体により前記板を上向きに付勢されることにより、前記弾性体から上向きに付勢される付勢力を受けるようになっている、
請求項１記載のパチンコ遊技機の取付装置。
【請求項４】
前記軸体は、その軸周りに回転可能とされたボルトであり、
前記移動体は、前記軸体に取付けられたナットであり、且つその上面に凹部を有しており、
ナットである前記移動体は、前記軸体の回転に応じて前記軸体の長さ方向に移動可能となっているとともに、
前記弾性体は、その下端をナットである前記移動体の前記凹部に挿入されている、
請求項３記載のパチンコ遊技機の取付装置。
【請求項５】
前記パチンコ遊技機設置台ユニットが、開閉自在として設けられた、呼出ランプが取付けられるランプ板、又は前記ランプ板の上方に開閉自在として設けられた幕板を備えているとともに、
前記軸体をその軸周りに回転させるための操作を前記軸体に対して行う操作手段を備えており、
前記操作手段は、前記ランプ板又は前記幕板を開放した際に、前記パチンコ遊技機の前側から操作できる位置に設けられている、
請求項２記載のパチンコ遊技機の取付装置。
【請求項６】
前記操作手段は、前記軸体から離れたところにあるとともに、前記操作手段で行った操作を、前記軸体に伝達するリンク機構を備えている、
請求項５記載のパチンコ遊技機の取付装置。
【請求項７】
前記リンク機構は、前記軸体に備えられたプーリーである第１プーリーと、前記第１プーリーと接続されたタイミングベルトと、前記タイミングベルトで接続されたプーリーである第２プーリーとを備えており、前記操作手段は、前記第２プーリーである、
請求項６記載のパチンコ遊技機の取付装置。
【請求項８】
前記リンク機構は、前記軸体にその一端が連結された、その他端の捻りをその一端に伝達するワイヤであり、前記操作手段は、そのワイヤの他端である、
請求項６記載のパチンコ遊技機の取付装置。
【請求項９】
前記ベース部材は板状であり、且つそのパチンコ遊技機の前後方向における所定の範囲に及ぶスリットを有しており、
前記接続部は、前記スリットを通っている、
請求項３記載のパチンコ遊技機の取付装置。
【請求項１０】
前記固定手段は、前記上板を上下から挟み込む挟持具である、
請求項１記載のパチンコ遊技機の取付装置。
【発明の詳細な説明】
【技術分野】
【０００１】
本発明は、パチンコ遊技機を、パチンコ遊技機設置台ユニットに取付けるために用いられるパチンコ遊技機の取付装置に関する。
【背景技術】
【０００２】
パチンコ遊技機（以下、本願明細書ではこれを、単に『遊技機』という場合がある。）が一般店舗で使用される場合、パチンコ遊技機設置台ユニットに取付けられる。一般的には島と呼ばれるものであるパチンコ遊技機設置台ユニット（以下、簡単のため、これが島であることにして話を進める。）には、並列に多数のパチンコ遊技機が取付けられる。
【０００３】
パチンコ遊技機の島への取付けは従来、以下のように行われている。
遊技機は、通常は４枚の板材を矩形に組合わせて作られる所定幅の枠の内側に固定した後、その枠を島に固定することにより、島に取付けられる。
従来の枠の島への取付けは、島のテーブルの上に枠を載置した上で、枠が木製であるのが通常であるということもあり、釘や木ねじなどを用いて行っている。
【０００４】
他方、パチンコ遊技機は、その盤面に適度な傾斜を与えることによって出玉の調整を行えることが知られている。パチンコ遊技機の盤面が水平に近い角度になればなる程、球は釘によくからむようになることを利用したものである。パチンコ遊技機取付けの際に適度な傾斜を与えたり、事後的にその調節を行えるようにすることで、釘に触らずに、釘の調節を行った場合と同様の効果をより簡易に得られるようになる。
【０００５】
このような点を考慮すれば、島に取付けられた後のパチンコ遊技機の傾斜を事後的に変化させられれば便利である。しかしながら、釘や木ねじを用いてパチンコ遊技機を取付けの枠を島に固定してしまうと、パチンコ遊技機の傾斜を事後的に変化させるのは殆ど不可能となる。釘や木ねじを使用して行う従来の枠の島への固定は、固定の際にも、一度島へ固定した枠を島から取外す際にも手間がかかるという当然な不具合に加え、このような不具合も有するのである。
【０００６】
本願出願人は、このような点を考慮して、特開２００７−００７２９６、特開２００９−１６５７５９などの出願をしている。これらは、パチンコ遊技機を、その傾斜角を可変としてパチンコ遊技機設置用ユニットに固定するための器具に関する。
【０００７】
これらに開示の発明は、パチンコ遊技機を島に着脱自在に取付ける機能と、島に取付けられたパチンコ遊技機の傾斜角を事後的に変化させる機能とを兼ね備えたものとされている。
したがって、これらに開示のパチンコ遊技機の取付装置は極めて有用といえる。
【０００８】
しかしながら、これらパチンコ遊技機の取付装置にも改良すべき点がないわけではない。
かかる改良が求められる点の説明に先立ち、まず、従来の島の構造について説明する。
島は、パチンコ遊技機がその上に載置される水平なテーブルと、テーブルに載置されたパチンコ遊技機の上方に位置する水平な上板とを備えている。パチンコ遊技機は、枠に取付けられた状態で、テーブルと、上板の間の空間に固定されることになる。
上述のパチンコ遊技機の取付装置は、上板の上に固定されて使用される。その取付装置は、上板を貫通して上下する可動部材を備えている。可動部材はそれが下がったときに、その下面により枠の上側の板である上枠の上面を下側に押圧する。これにより遊技機が取付けられた枠は、可動部材とテーブルの間に挟持され、その結果遊技機の島に対する固定が実現される。
上述のパチンコ遊技機の取付装置は、島に枠を固定した状態で、可動部を前後することができる。これにより枠の上枠が、そして遊技機の上端側が遊技機の前後方向に移動する。遊技機の下端側は移動を行なわないようになっているので、遊技機の上端側の遊技機の前後方向の移動により、遊技機の傾斜角が変化する。つまり、上述のパチンコ遊技機の取付装置は、遊技機の島への取付けを簡単に行えるものであるとともに、事後的な遊技機の傾斜角の変更を可能とするものである。
【０００９】
以上のような構造の従来のパチンコ遊技機の取付装置は、有用なものである。しかしながら、上述のパチンコ遊技機の取付装置にも改良すべき点がまだ存在する。それは、上述のパチンコ遊技機の取付装置を使用するには、島の上板に、可動部材を貫通させるための孔を穿つ必要がある、という点である。
島の上板には通常そのような孔は存在しないから、孔を穿つ作業はパチンコ遊技機の取付装置を島に取付ける際に行う必要がある。孔は遊技機の取付装置との相対的な位置合わせが必要であり、また可動部材の前後動に対応できるように、丸孔でなく長孔である必要があるので、孔を穿つには手間とコストがかかる。パチンコ遊技機の取付装置を普及させるには、その手間、コストをどうするかが問題となる。
【００１０】
そのような課題を解決するための１つの方策として提案された遊技機の取付装置がある。それは、特開２００９−１４８４８６に開示されている。
この遊技機の取付装置は、洗濯バサミ様の挟持手段を備えており、枠の上側の板である上枠をその挟持手段により挟持することで枠を固定する。上述の如き可動手段を備えないこの遊技機の取付装置であれば、島の上板に孔を穿つ必要もない。
しかしながら、かかる遊技機の取付装置にも改良すべき点がある。
枠は、遊技機の島への取付けに一般的に用いられているものではあるが、厳密に規格化されているものではない。また、未だに枠は、釘や木ねじを使っての島への固定が一般的であるから、枠を作るメーカーも製造誤差をなくす努力をそれ程していない。つまり、以上の事実が示すように、遊技機の取付に用いられる枠は、その大きさが異なることが良くある。実際、枠の上下の長さには、５ｍｍ程度の幅がある。
また、島の側に、とくにテーブルから上板の距離に誤差が生じることがある。
しかしながら、上下に動く可動手段を有する上述の如き遊技機の取付装置であれば、５ｍｍ程度の幅は吸収することができるから、島に遊技機を固定するには問題がない。しかしながら、特開２００９−１４８４８６に開示された発明の如く、挟持手段を有する遊技機の取付装置の場合には、挟持手段の高さ位置が固定されているのであれば、場合によっては挟持手段で枠の上枠を挟持することができないおそれがある。これはつまり、遊技機の取付装置を用いて、遊技機を島に固定できないということを意味する。
この課題に対応するため、特開２００９−１４８４８６に開示されている遊技機の取付装置では、挟持手段が取付けられているボルトが上下するようになっている。このボルトの上下動により、挟持手段も上下動するから、この遊技機の取付装置は、枠の上下方向の大きさが多少異なっていても枠を島に固定することができる。
【先行技術文献】
【特許文献】
【００１１】
【特許文献１】特開２００７−００７２９６号公報
【特許文献２】特開２００９−１６５７５９号公報
【特許文献３】特開２００９−１４８４８６号公報
【発明の概要】
【発明が解決しようとする課題】
【００１２】
しかしながら、この遊技機の取付装置では、ボルトが、ボルトをその両端で支える金具に対して斜めになることがあり得る。そうすると、ボルトの極一部が金具と強く接触することとなる。そのような事態が生じると、ボルトと金具の間の摩擦抵抗によりボルトを回転させることが困難になりかねない。それは、遊技機の傾斜角を調整するのが困難になるということであるから、遊技機の取付装置としては由々しき問題である。
【００１３】
本願発明は、枠の上下方向の大きさの違いがあっても、挟持手段による枠の固定を十分に行え、且つ遊技機の角度の調整に困難が生じない遊技機の取付装置を提供することを、その課題とする。
【課題を解決するための手段】
【００１４】
本願発明者は、上述の課題を解決するために、以下の発明を提案する。
本願発明は、パチンコ遊技機がその上に載置される水平なテーブルと、テーブルに載置されたパチンコ遊技機の上方に位置する水平な上板とを備えているパチンコ遊技機設置台ユニットに取付けて用いられるものであり、枠に取付けられた状態のパチンコ遊技機を前記上板と固定するためのパチンコ遊技機の取付装置である。
そして、このパチンコ遊技機の取付装置は、前記上板と固定されるベース部材と、前記ベース部材にその長手方向が前記パチンコ遊技機の前後方向に沿うようにして取付けられた、前記上板の前記パチンコ遊技機の後方に位置する棒状の軸体と、前記軸体の長さ方向に相対的に移動可能として前記軸体に取付けられた移動体と、前記移動体に取付けられた、前記枠の上側の部材である上枠を固定する固定手段と、を備えており、前記固定手段は、弾性体を備えており、当該弾性体から上向きに付勢される付勢力を受けた状態で前記移動体に取付けられているとともに、前記付勢力に抗して下向きに移動可能となっている。
本願発明のパチンコ遊技機の取付装置は、軸体が上板の後方（本願において単に「前」、又は「後」と言う場合のそれらの意味は、遊技機の前後に倣うものとする。）に位置し、軸体上を移動する移動体に取付けられた固定手段により枠の固定をなすのであるから、遊技機の傾斜角の変更の際に必要となる移動体ないし固定手段の移動を実現するために、上板に孔を穿つ必要がない。つまり、本願発明による取付装置は、従来技術で説明した挟持手段を有するパチンコ遊技機の取付装置の場合では必要であった孔を、上板への取付けの際に上板に穿つ必要がない。
また、従来技術で説明した挟持手段を有するパチンコ遊技機ではそのボルトが上下するようになっていたが、本願発明のパチンコ遊技機の取付装置では、上述のボルトに類似するその軸体が上下することはない。その代わり、本願のパチンコ遊技機の取付装置では、固定手段が軸体に対して上下するようになっている。これにより軸体が傾斜することによる不具合が生じないから、本願の取付装置は、枠の上下方向の大きさの違いがあっても、挟持手段による枠の固定を十分に行え、また、枠の上枠の破損する可能性を小さくすることができる。
【００１５】
軸体と移動体は、移動体が軸体に沿って相対的に移動できるようになっているのであれば、その具体的な構成を問わない。
例えば、前記軸体は、その軸周りに回転可能とされたボルトであり、前記移動体は、前記軸体に取付けられたナットであり、ナットである前記移動体は、前記軸体の回転に応じて前記軸体の長さ方向に移動可能となっていてもよい。
【００１６】
また、固定手段と移動手段の接続は、その接続の態様が、固定手段、移動手段、固定手段と移動手段とを接続する物等が、パチンコ遊技機設置台ユニット、枠、遊技機等と干渉しないのであれば、どのように行なわれていても構わない。
また、弾性体は、上向きに付勢される付勢力を固定手段に与えられるようになっているとともに、固定手段を前記付勢力に抗して下向きに移動させられるようになっていれば、その詳細は問わない。弾性体は例えば、コイルバネなどのバネであっても良いし、天然ゴム、合成ゴムによらずゴムであっても良い。
例えば、前記固定手段は、前記固定手段から前記軸体を跨いで前記移動体の上方まで上向きに延びる接続部と、前記接続部の上に設けられた水平の板とを備えているとともに、前記弾性体は、圧縮した状態で、その下端を前記移動体に、その上端を前記板に当接させられていても良い。また、この場合の前記固定手段は、前記弾性体により前記板を上向きに付勢されることにより、前記弾性体から上向きに付勢される付勢力を受けるようになっていてもよい。この発明は、以下の場合にも応用出来る。上述したように、前記軸体は、その軸周りに回転可能とされたボルトであり、前記移動体は前記軸体に取付けられたナットであってもよい。そして、ナットは、その上面に凹部を有していても良い。この場合、ナットである前記移動体は、前記軸体の回転に応じて前記軸体の長さ方向に移動可能となっているとともに、前記弾性体は、その下端をナットである前記移動体の前記凹部に挿入されていてもよい。この場合、その下端をナットが持つ凹部に入れられ、且つその上端を接続部の上記板の下面に当接させられた圧縮された弾性体は、その上端の板を上に付勢することで、固定手段を上向きに付勢する。
接続部を有する遊技機の取付装置における前記ベース部材は板状であり、且つそのパチンコ遊技機の前後方向における所定の範囲に及ぶスリットを有しており、前記接続部は、前記スリットを通っていてもよい。
【００１７】
上述したように、前記軸体は、その軸周りに回転可能とされたボルトであり、前記移動体は前記軸体に取付けられたナットであってもよい。
また、軸体が、その軸周りに回転可能とされたボルトであり、移動体が軸体に取付けられたナットである場合、本願の遊技機の取付装置は、以下のようなものとすることができる。
なお、この遊技機の取付装置が組合せられるパチンコ遊技機設置台ユニットは、開閉自在として設けられた、呼出ランプが取付けられるランプ板、又は前記ランプ板の上方に開閉自在として設けられた幕板を備えている。そして、遊技機の取付装置は、前記軸体をその軸周りに回転させるための操作を前記軸体に対して行う操作手段を備えており、前記操作手段は、前記ランプ板又は前記幕板を開放した際に、前記パチンコ遊技機の前側から操作できる位置に設けられている。
パチンコ遊技機設置台ユニットは、その上部、より詳しくは上板の上部に、パチンコ遊技機設置台ユニットの長さ方向に沿う開口を備える。この開口には、開口を塞ぐ板が取り付けられている。この板は一枚物の場合もあるが、呼出ランプが取付けられるランプ板と、ランプ板の上方に位置する幕板とに分割されている場合が多い。ランプ板と幕板の背後には、呼出ランプを制御するための回路、遊技機から出力されるデータを一般的にはパチンコ遊技機設置台ユニットの外部にある出玉の管理等を行なうコンピュータに出力するための回路、或いは台間玉貸機の制御を行なうための回路等が必要に応じて収納される。また、多くの場合幕板は開閉自在とされており、場合によってはランプ板も開閉自在とされている。幕板、あるいは場合によってはランプ板は、それを開くことにより、パチンコ遊技機設置台ユニットの上方に設けられた玉供給用のトイが玉詰まりを起こした場合や、島の上方でなされた配線に異常が生じた場合などに対処できるようになっている。
操作手段が、幕板又はランプ板を開放した際に、パチンコ遊技機の前側から操作できる位置に設けられていれば、元々開放できる幕板又はランプ板の機能を用いて幕板又はランプ板を開放して操作手段を操作できるため便利である。
この場合、操作手段は、上板の上面より上側に位置することになる。この場合における本願の遊技機の取付装置の前記操作手段は、前記軸体から離れたところにあるとともに、前記操作手段で行った操作を、前記軸体に伝達するリンク機構を備えていてもよい。
前記リンク機構は、前記軸体に備えられたプーリーである第１プーリーと、前記第１プーリーと接続されたタイミングベルトと、前記タイミングベルトで接続されたプーリーである第２プーリーとを備えていてもよい。この場合、前記操作手段は、前記第２プーリーである。
前記リンク機構は、前記軸体にその一端が連結された、その他端の捻りをその一端に伝達するワイヤであってもよい。この場合、前記操作手段は、そのワイヤの他端である。
【００１８】
本願発明における固定手段は、枠の上側の上枠との固定ができるものであればどのようなものであっても良い。固定は着脱自在なものであるのが好ましい。前記固定手段は、前記上枠を上下から挟み込む挟持具であってもよい。これにより、枠の上枠との着脱自在な固定が容易となる。
【図面の簡単な説明】
【００１９】
【図１】本実施形態による取付装置により島に取付けられる枠の構成を示す斜視図。
【図２】本実施形態による取付装置が取付けられる島の構成を示す側断面図。
【図３】本実施形態の取付装置をやや右よりの後方から見た状態を示す斜視図。
【図４】本実施形態の取付装置をやや左よりの後方から見た状態を示す斜視図。
【図５】本実施形態の取付装置の左側面図。
【図６】本実施形態の取付装置の正面図。
【図７】本実施形態の取付装置の底面図。
【図８】本実施形態によるボルトの詳細、及びベース部材への取付状態を示す一部断面図を含む側面図。
【図９】本実施形態による取付装置の筒部材の分解図。
【図１０】本実施形態による取付装置の筒部材の破断図。
【発明を実施するための形態】
【００２０】
以下に、本願発明を実施するための一実施形態を、図面を参照しつつ説明する。
【００２１】
この実施形態によるパチンコ遊技機の取付装置は、パチンコ遊技機設置台ユニットとしての島にパチンコ遊技機を着脱自在に取付けるためのものである。この実施形態における取付装置は、遊技機を島に着脱自在に取付ける機能と、島に取付けられた遊技機の傾斜角を事後的に変化させる機能とを兼ね備えたものとなっている。
【００２２】
この実施形態によるパチンコ遊技機の取付装置により島に取付けられる遊技機は、図１の斜視図に示したような枠に取付けた状態で島に取付けられる。
この実施形態の枠２００は、必ずしもこの限りではないが、木製である。枠２００は、所定幅の４枚の板状の部材を矩形に組合わせてなる。枠２００を作る上下左右の各部材の幅は、この実施形態では等しくされている。つまり、この実施形態では、枠２００の前後方向の長さは枠２００のすべての部分で等しい。また、枠２００を構成する４枚の板状の部材の厚みは、必ずしもこの限りではないが、上下左右の部材のすべてで等しくなるようにされている。
枠２００の内側の空間には、図示を省略の遊技機が嵌め込まれ固定される。かかる遊技機の枠２００に対する固定は従来から普通に行われているので、適当な周知技術を用いて行うことができる。
【００２３】
次に、上述の枠２００に嵌めこまれた遊技機が取付けられる島について説明する。もっとも、この島も、基本的には極めてありふれたものである。
図２に島４００の断面図を示す。図２において、左側が遊技機の前面方向である。
島４００は木材を組合わせて出来ている。図示を省略しているが、島４００は縦方向に延びる多数の柱を備えている。多数の柱の隣合うもの同士は、横方向に延びる梁や、後述するテーブル、水平板などにより互いに連結されている。
島４００は、図示を省略のテーブルを備えている。テーブルは板材により形成されており、下から５２ｃｍ程度の高さに水平に取付けられている。テーブルは、その上に、遊技機をその内部に固定された上述の枠２００を載置するためのものである。
島４００の最上方ではないが上方には、水平板４１０が設けられている。水平板４１０は板材であり、上述の柱の間に水平に渡されている。水平板４１０は、本願における上板にあたる。
【００２４】
島４００の前側の水平板４１０の上方には、ランプ板４２０が取付けられている。ランプ板４２０は板材であり、その幅方向が鉛直となるようにして島４００に取付けられている。かかる取付けは大抵の場合固定的であるが、場合によっては後述する幕板と同様に、幕板ごと、或いは幕板の下端に対してヒンジ接続されて開閉可能とされる。
ランプ板４２０の前面には、周知の呼出ランプ４２１が取付けられる。ランプ板４２０の後面側には、呼出ランプ４２１を制御するための図示せぬ制御回路等が存在するが、これは後述する取付装置１００とは干渉しないようにされる。ランプ板４２０には、制御回路と呼出ランプ４２１とを接続するためのケーブルを通過させるための孔が穿たれているが、これも図２においては記載を省略している。
【００２５】
水平板４１０の更に上方には、幕板４３０が取付けられている。幕板４３０は板材であり、その幅方向が鉛直となるようにして島４００に取付けられている。幕板４３０の上端は、ヒンジ４４０を介して島４００を構成する天板４５０に取付けられている。天板４５０は、板材であり、上述の柱の間に水平に渡されている。幕板４３０は、図２の矢印で示したようにヒンジ４４０を中心として回転運動を行なえるようになっており、島４００に対して開閉できるようになっている。
天板４５０と水平板４１０に挟まれた空間には、上述の取付装置１００や、その他の機器が置かれる。幕板４３０が開閉自在とされているのは、幕板４３０を開いた状態で、取付装置１００やその他の機器の操作やメンテナンスを行えるようにするためである。かかる操作やメンテナンスを行い易くするため、必ずしもこの限りではないが幕板４３０は、島４００に対して略水平な状態（つまり、幕板４３０を開いた状態）で、その位置を固定できるようになっている。
【００２６】
次いで、取付装置１００について説明する。
取付装置１００は、図２に示したように、水平板４１０の後方に取付けられる。取付装置１００の水平板４１０への取付は、後述するように、木ねじ、ボルトなどを用いて適当に行われる。
取付装置１００の外観の詳細は、図３〜図７に示されている。
【００２７】
図３は、取付装置１００をやや右よりの後方から見た状態を示す斜視図、図４は、取付装置１００をやや左よりの後方から見た状態を示す斜視図、図５は、取付装置１００の左側面図、図６は、取付装置１００の正面図、図７は、取付装置１００の底面図である。
【００２８】
なお、この限りではないが、特に断りのない場合、この実施形態の取付装置１００は金属でできている。金属は、例えばアルミ、鉄、或いはステンレスである。
【００２９】
この実施形態の取付装置１００は、ベース部材１１０を備えている。ベース部材１１０は、２枚のベース板１１１と、２枚のベース板１１１を接続する連結部材１１２とを備えている。
ベース板１１１は細い板状であり、それら間に幾らかの間隔を空けて、平行に配されている。各ベース板１１１には、孔１１１Ａが前後に２つ穿たれている。それら孔１１１Ａの内部にはネジ切りがされている。各ベース板１１１の前方には、孔１１１Ｂが２つ設けられている。孔１１１Ｂの内側にはネジ切りはされていない。ベース板１１１を水平板４１０に固定する場合には、孔１１１Ｂを貫通させた木ねじを水平板４１０に打ち込む。
連結部材１１２は、側面視した場合の形状が略コの字型であり、板状の連結ベース１１２Ａと、連結ベース１１２Ａの後端から垂直に立ち上がった後板１１２Ｂと、連結ベース１１２Ａの前端から垂直に立ち上がった前板１１２Ｃとを備えている。
【００３０】
連結ベース１１２Ａには、大きな略矩形の孔１１２Ａ１が設けられている。孔１２２Ａ１の幅は、その前側で相対的に広く、後側で相対的に狭くなっている。連結ベース１１２Ａの、孔１１２Ａ１の両側に残された部分の幅は、ベース板１１１の幅と略等しくなっている。ベース板１１１は、連結ベース１１２Ａの、孔１１２Ａ１の両側に残された細長い部分の下側にそれぞれ取付けられる。
連結ベース１１２Ａの、孔１１２Ａ１の両側に残された細長い部分にはそれぞれ、孔１１２Ａ２が前後に２つずつ穿たれている。これら孔１１２Ａ２の位置は、各ベース板１１１における孔１１１Ａの位置に対応している。また、これら孔１１２Ａ２の内側にはネジ切りがされている。連結ベース１１２Ａの右端付近に設けられた前後の孔１１２Ａ２を、右側のベース板１１１に設けられた前後の孔１１１Ａと位置合わせし、連結ベース１１２Ａの右端付近に設けられた前側の孔１１２Ａ２と、右側のベース板１１１に設けられた前側の孔１１１Ａをまとめてボルトでネジ止めするとともに、連結ベース１１２Ａの右端付近に設けられた後側の孔１１１Ａ２と、右側のベース板１１１に設けられた後側の孔１１１Ａをまとめてボルトでネジ止めすることにより、連結ベース１１２Ａの孔１１２Ａ１の右側の部分の直下に右側のベース板１１１が固定される。同様に、連結ベース１１２Ａの孔１１２Ａ１の左側の部分の直下に左側のベース板１１１が固定される。
したがって、ベース部材１１０のみを平面視した場合、連結ベース１１２Ａの孔１１２Ａ１と、２枚のベース板１１１の間の空間には、何もない状態となり、ベース部材１１０がスリットを持っているのと等価の状態となる。
【００３１】
連結部材１１２において、後板１１２Ｂの高さは、前板１１２Ｃの高さより低くなっている。
図示を省略するが、後板１１２Ｂの上端の幅方向の中央部には、半円形の切欠きが設けられている。後板１１２Ｂの後方には、板状の抑え板１１３が固定されている。抑え板１１３と後板１１２Ｂの固定は、抑え板１１３と後板１１２Ｂの対応する位置に設けられた、ともにその内側面にネジ切りのされた孔をボルト１１４Ａにより固定することにより行なわれている。抑え板１１３には、その最下部から上方に延びる縦方向の切欠き１１３Ａが設けられている。切欠き１１３Ａの上端は、上に向かう半円形状となっている。切欠き１１３Ａの幅は、後板１１２Ｂの上端に設けられた上述の半円形の切欠きの幅に略一致する。切欠き１１３Ａの上端と、後板１１２Ｂの上端に設けられた上述の半円形の切欠きは、前者が規定する上向きの半円と、後者が規定する下向きの半円との組合せにより、円形の孔を規定することになる。
前板１１２Ｃの下方の幅方向における中央部には、孔１１２Ｃ１が穿たれている。また、前板１１２Ｃの孔１１２Ｃ１の上方には、所定幅の長孔１１２Ｃ２が穿たれている。長孔１１２Ｃ２は、孔１１２Ｃ１の中心を中心とした所定の半径の円弧上に位置するように湾曲している。前板１１２Ｃの孔１１２Ｃ１の左右両側には、孔１１２Ｃ３が２つずつ開けられている。孔１１２Ｃ３は、前板１１２Ｃを水平板４１０に固定するために用いられる。孔１１２Ｃ３を貫通させた木ねじを水平板４１０に打ち込むことによって、前板１１２Ｃと水平板４１０は固定される。
つまり、この取付装置１００は、前板１１２Ｃの前面を水平板４１０の後面に当接させるとともに、ベース板１１１の上面を水平板４１０の上面に当接させた状態で、水平板４１０に固定される。
【００３２】
ベース部材１１０は、また、本願発明における軸体としてのボルト１１４を備えている。ボルト１１４の詳細、及びベース部材１１０への取付状態を図８の一部断面図を含む側面図に示す。
ボルト１１４は、その後端に頭部１１４Ａを備えている。頭部１１４Ａには、後述するワイヤとの接続を行うためのレンチ孔１１４Ａ１が設けられている。レンチ孔１１４Ａ１は、所定サイズの六角レンチと嵌り合うようになっている孔である。もっとも、レンチ孔１１４Ａ１は六角レンチと嵌り合うようなものには限らず、後述するワイヤとの接続が可能なものであればよい。
ボルト１１４の頭部１１４Ａの直前には、頭部１１４Ａと、後述する溝切り部よりも細くそしてその表面に溝が切られていない後首部１１４Ｂが設けられている。後首部１１４Ｂは、切欠き１１３Ａの上端と、後板１１２Ｂの上端に設けられた上述の半円形の切欠きにより規定された上述の円形の孔に嵌り込んでいて、結果として、切欠き１１３Ａの上端と、後板１１２Ｂの上端に設けられた上述の半円形の切欠きにより規定された上述の円形の孔に回転可能に軸支されている。後首部１１４Ｂの径は、切欠き１１３Ａの上端と、後板１１２Ｂの上端に設けられた上述の半円形の切欠きにより規定された上述の円形の孔の径より若干小さい程度であり、その長さは、後板１１２Ｂと抑え板１１３の厚さを足した厚さよりも若干長い程度である。頭部１１４Ａ１、溝切り部は、切欠き１１３Ａの上端と、前板１１２Ｂの上端に設けられた上述の半円形の切欠きにより規定された上述の円形の孔の縁と干渉し、その孔を通過できないから、ボルト１１４は前後方向への移動を規制される。
【００３３】
後首部１１４Ｂの前には、長い範囲に亘る溝切り部１１４Ｃが存在している。溝切り部１１４Ｃは、ネジ切りがされたおり、後述するナットを螺合させることができるようになっている。
溝切り部１１４Ｃの前方には、プーリーである第１プーリー１１４Ｄが設けられている。第１プーリー１１４Ｄは、公知の構成のプーリーであり、その外側に多数の歯を有している。第１プーリー１１４Ｄは、後述するタイミングベルトと噛み合う。
第１プーリー１１４Ｄの前方には、後首部１１４Ｂと同様に構成された前首部１１４Ｅが設けられている。前首部１１４Ｅは、必ずしも後首部１１４Ｂと同径であるとは限らない。前首部１１４Ｅは、前板１１２Ｃの下方の幅方向における中央部に設けられた孔１１２Ｃ１に挿入され、同孔１１２Ｃ１に回転可能に軸支されている。
結果として、ボルト１１４はその軸周りに回転可能である。
なお、当然であるが、頭部１１４Ａ、後首部１１４Ｂ、溝切り部１１４Ｃ、第１プーリー１１４Ｄ、前首部１１４Ｅは、同軸である。
【００３４】
前板１１２Ｃの後側には、ベルトケース１１５が設けられている。ベルトケース１１５は、その後側が開放された、細長い略直方体形状となっている。ベルトケースの前面の板１１５Ａの下端には、図示を省略するが、ボルト１１４の溝切り部１１４Ｃに嵌り合うような切欠きが設けられている。
板１１５Ａの下よりの部分には孔１１５Ｂが穿たれている。孔１１５Ｂは、長孔１１２Ｃ２に対応した部分にある。孔１１５Ｂと長孔１１２Ｃ２は、板１１５Ａの前側から挿入された蝶ネジ１１５Ｃでまとめて貫通されている。蝶ネジ１１５Ｃの摘みの部分は、孔１１５Ｂも、長孔１１２Ｃ２を通過できない大きさである。また、蝶ネジ１１５Ｃの板１１５Ａの背面側には、ナット１１５Ｄが螺合されている。これにより、板１１５Ａないしベルトケース１１５は、前板１１２Ｃに取付けられた状態となっている。もっとも、ナット１１５Ｄは、蝶ネジ１１５Ｃに対してそれほどきつく螺合されていない。したがって、ある程度の力を加えれば、ベルトケース１１５は、前板１１２Ｃの孔１１２Ｃ１を中心として前板１１２Ｃの後面に沿いながら回転運動を行うことができる。
板１１５Ａの後側の最も高い位置には、プーリーである第２プーリー１１５Ｅが設けられている。第２プーリー１１５Ｅの径は第１プーリー１１４Ｄと同じもので良く、必ずしもこの限りではないが、この実施形態ではそうなっている。第２プーリー１１５Ｅの前面は、板１１５Ａから露出しており、そこには六角レンチを嵌め込むことのできるレンチ孔１１５Ｆが設けられている。六角レンチをレンチ孔１１５Ｆに嵌めて回転させることで、第２プーリー１１５Ｅを回転させられるようになっている。
第２プーリー１１５Ｅの高さは、幕板４３０を開けたときに第２プーリー１１５Ｅが遊技機の前方方向から容易に見えるような高さであり、一般には閉じた状態の幕板４３０の下端よりも高い位置である。これは幕板４３０を開放した状態で、六角レンチを用いて第２プーリー１１５Ｅを回転させる作業を行うことを意図するからである。仮に、天板４５０を開放して六角レンチを用いて第２プーリー１１５Ｅを回転させる作業を行うことを意図するのであれば、第２プーリー１１５Ｅの高さは、天板４５０を開けたときに第２プーリー１１５Ｅが遊技機の前方方向から容易に見えるような高さであり、一般には閉じた状態の天板４５０の下端よりも高い位置とする。
【００３５】
第２プーリー１１５Ｅと、上述した第１プーリー１１４Ｄには、タイミングベルト１１６が掛けられている。タイミングベルト１１６は、周知のものであり、例えば合成ゴム製であり、その内側には、第２プーリー１１５Ｅと、第１プーリー１１４Ｄの外側にそれぞれ設けられた歯と噛み合う歯が設けられている。
上述したように、六角レンチをレンチ孔１１５Ｆに嵌めて回転させることで、第２プーリー１１５Ｅを回転させられる。第２プーリー１１５Ｅの回転は、タイミングベルト１１６を介して第１プーリー１１４Ｄに伝わり、これによりボルト１１４が軸周りに回転する。
【００３６】
ボルト１１４の溝切り部１１４Ｃには、移動部材１２０が取付けられている。移動部材１２０は、ナット１２１を備えている。ナット１２１の上面には、図４に示したように穴１２１Ａが開けられている。必ずしもこの限りではないが、この実施形態では、穴１２１Ａは、ナット１２１の内側の孔までは貫通していない。
ナット１２１はナットケース１２２に仕舞われた状態となっている。ナットケース１２２は、上面が開放された略直方体形状をしているナットケース本体１２２Ａと、ナットケース本体１２２Ａの上に取付けられるナットケース蓋１２２Ｂとを備えている。
ナットケース本体１２２Ａの前面と後面には、ボルト１１４の溝切り部１１４Ｃと、ナットケース本体１２２Ａの前面及び後面との干渉を防ぐための切欠き１２２Ａ１が設けられている。ナットケース本体１２２Ａはあたかもその前後の面をボルト１１４に貫かれたような状態で、ボルト１１４に取付けられたようになっている。また、ナットケース本体１２２Ａの下端の幅は、連結ベース１１２Ａの孔１１２Ａ１の幅の狭い部分の幅より若干狭い程度であり、ナットケース本体１２２Ａの下端は、通常の状態（ナットケース１２２に下向きの力が働いていない状態）では、ナットケース本体１２２Ａの下端は、連結ベース１１２Ａの孔１１２Ａ１の幅の狭い部分に嵌り込んでいる。ナットケース本体１２２Ａの左右の面には、孔１２２Ａ２が穿たれている。孔１２２Ａ２の内側面にはネジ切りがされている。また、ナットケース本体１２２Ａの下面には孔１２２Ａ３が穿たれている。孔１２２Ａ３の内側面にはネジ切りがされている。
ナットケース蓋１２２Ｂは、前方から見た場合、断面略コの字型をしている。ナットケース蓋１２２Ｂは、その左右の面が、ナットケース本体１２２Ａの左右の面の外側に位置するようにしてナットケース本体１２２Ａに蓋をする。ナットケース蓋１２２Ｂの左右の面には孔１２２Ｂ１が穿たれている。ナットケース蓋１２２Ｂは、ナットケース本体１２２Ａに蓋をした状態で、孔１２２Ｂ１を貫通しその先端をナットケース本体１２２Ａの孔１２２Ａ２に螺合させられるネジ１２２Ｃによって、ナットケース蓋１２２Ｂと固定される。
ナットケース１２２の中には、弾性体、より詳細には、バネ１２３が入っている。バネ１２３は、コイルバネであり、その下端がナット１２１に設けられた穴１２１Ａに挿入されている。バネ１２３の上端は、ナットケース蓋１２２Ｂの天井部分の下側の面に当接している。通常の状態、つまり、ナットケース１２２に下向きの力が働いていない状態では、バネ１２３は圧縮されている。つまり、バネ１２３から、ナットケース１２２全体は、上向きに押し上げられる付勢力を与えられているが、その付勢力に抗して下向きに押し下げることで、ナットケース１２２を下方に移動させることができる。
【００３７】
移動部材１２０の、より詳細には、ナットケース本体１２２Ａの下面には、遊技機を固定するための、固定具１３０が固定されている。この実施形態の固定具１３０は後述するように、遊技機と固定された枠２００の上枠２１０を後側から挟持することで（図１参照）、遊技機との固定をなす。
【００３８】
固定具１３０は、上挟持板１３１を備えている。上挟持板１３１は、枠２００の上枠２１０を挟持する場合、枠２００の上枠２１０の上面に当接するものである。上挟持板１３１が矩形であり、その幅はベース板１１１の間の間隔に等しい。
上挟持板１３１は、孔１３１Ａを持つ。孔１３１Ａは、ナットケース１２２Ａの下面の孔１２２Ａ３に対応する位置に設けられている。上挟持板１３１はその下面側から、孔１３１Ａを通ってその先端が孔１２２Ａ３に螺合するビスによって、ナットケース本体１２２Ａの下面に固定されている。なお、ナットケース１２２と上挟持板１３１の上面の固定はこれによらず、例えばロウ付けによっても構わない。
上挟持板１３１には、４つのリベット１３２Ａ〜Ｄにより互いに連結された、顎部１３３、ハンドル１３５、調節部１３６が取付けられている。ハンドル１３５は棒状である。
ハンドル１３５は、顎部１３３を操作するためのものである。ハンドル１３５をリベット１３２Ｂを軸に回転させてその一端（後端）側を押し下げると、その他端側に設けられたリベット１３２Ｃが持ち上がり、それにより顎部１３３の一端側（後側）が上側に引っ張られるとともに、顎部１３３がリベット１３２Ｄを軸に回転してその他端が下るという理屈で、顎部１３３の先端（前端）側が押し下げられるようになっている。逆の動きでハンドル１３５の一端（後端）側を押し上げると、顎部１３３の他端（前端）側が押し上げられるようになっている。顎部１３３の他端（前端）側が押し上げられた状態で、顎部１３３の上面と、上挟持板１３１の下面とで、上枠２１０が挟持される。
顎部１３３の他端（前端）側には、細かく鋭い波上の歯１３３Ａがついているので、かかる挟持はしっかりと行なわれる。
【００３９】
調節部１３６には、ネジ１３７が取付けられている。ネジ１３７の先端は、リベット１３２Ａ側に設けられたナットに螺合している。ネジ１３７をナットにより深く螺合させると、リベット１３２Ａは図５中左に押しやられる。リベット１３２Ａが左に押しやられると、調節部１３６の一端（後端）側が図５中左上に移動し、リベット１３２Ｂが左下に移動する。ネジ１３７をナットにどれだけ深く螺合させるかにより、上枠２１０の挟持を行ったときの顎部１３３の位置を調整することが可能となるので、上枠２１０の厚さの違いに対応できる。
【００４０】
上挟持板１３１の先端には、また、板バネである滑板１３８がついている。滑板１３８は、上枠２１０を顎部１３３の上面と、上挟持板１３１の下面の間に入れるときに上枠２１０の上面を滑り、上枠２１０を顎部１３３の上面と、上挟持板１３１の下面の間に案内するものである。
【００４１】
ベース板１１１の下側には、筒部材１４０が固定されている。筒部材１４０は、四角い筒枠１４０Ａの中にロウ付け等の適当な方法で固定されている。筒部材１４０には、ワイヤである固定ワイヤ１５０が通っている。筒部材１４０は、固定ワイヤ１５０を任意の一方向のみに引っ張れるようにするためのものである。
【００４２】
筒部材１４０の構成について説明する。
図９に筒部材１４０の分解図を、図１０に筒部材１４０の破断図を示す。なお、図１０では、後述する外筒はその全体において軸を通る平面で破断された状態が、後述する内筒は、図１０の上半分において上記平面と同じ平面で破断された状態が示されている。
【００４３】
筒部材１４０は、筒状である。筒部材１４０は、外筒１４１、内筒１４２、球１４３、弾性バネ１４４を備えて構成されている。
外筒１４１は、筒状である。筒状とされた外筒１４１の内部には内筒１４２が挿入されるようになっている。外筒１４１の外周面には溝１４１Ａが切られている。
外筒１４１の内周面には、その前方に向けて徐々に内径が小さくなっていくようなテーパーの与えられたテーパー部１４１Ｂが設けられている。テーパー部１４１Ｂ後端のテーパー部１４１Ｂが終わる部分より後ろの部分においては、外筒１４１の内周面の径は一定となっている。
外筒１４１の内周面の後端には、断面形状がリング状の係止部１４１Ｃが設けられている。係止部１４１Ｃの内側に開いた孔は、内筒１４２の、後述する内筒後端部を案内するためのものであり、内筒後端部の外形よりも若干大きい程度の径となっている。
【００４４】
内筒１４２は、筒状である。内筒１４２は、前側から、円筒形の内筒先端部１４２Ａ、円錐台形状である内筒中間部１４２Ｂ、円筒形状で長い内筒後端部１４２Ｃからなる。内筒先端部１４２Ａは外筒１４１の先端から前方に突出するようになっている。内筒後端部１４２Ｃの後端は、内筒１４２に特に外力を加えない場合には外筒１４１の後端と略一致するようになっている。
内筒先端部１４２Ａ、内筒中間部１４２Ｂ、内筒後端部１４２Ｃは同軸であり、且つその内部を、貫通孔１４２Ｄで貫かれている。貫通孔１４２Ｄは、内筒中間部１４２Ｂの部分は図に示したように他の部分よりも大径となっているが、その他の部分においては、固定ワイヤ１５０を前後にずらせる程度に固定ワイヤ１５０の径よりも幾らか大きい程度の一定の径とされている。なお、貫通孔１４２Ｄは、すべての部分で一定の径とされていても構わない。
内筒１４２の内筒中間部１４２Ｂには、貫通孔１４２Ｄと連通したこの実施形態では円形の孔である連通孔１４２Ｅが穿たれている。連通孔１４２Ｅにはそれぞれ、球１４３が嵌っている。球１４３の径は、固定ワイヤ１５０から、外筒１４１のテーパー部１４１Ｂの所定の部分（これには限られないが、この実施形態では、テーパー部１４１Ｂの前後方向の中程）までの距離に等しくなっている。
【００４５】
弾性バネ１４４は一般的なコイルばねである。弾性バネ１４４は、図１０に示したように、内筒後端部１４２Ｃの周囲に巻き付けたような状態で、外筒１４１の内部空間に入れられている。弾性バネ１４４は、その先端を内筒中間部１４２Ｂと、内筒後端部１４２Ｃが交わる部分にできるドーナツ状の面に当接させ、その後端を係止部１４１Ｃの前面に当接させている。弾性バネ１４４は圧縮されており、内筒１４２に対して常に、内筒１４２を前側に向かって押すような付勢力を与えている。
【００４６】
上述したように固定ワイヤ１５０は、筒部材１４０に対して前方、後方に移動できる。その仕組は以下の通りである。
図１０に示した筒部材１４０は通常の状態である。
この状態では、内筒１４２は、弾性バネ１４４により前側（図９、１０の左方向）に付勢されている。内筒１４２が前側に付勢されているこの状態では、内筒中間部１４２Ｂに設けられた連通孔１４２Ｅから覗いている球１４３は前方に押しやられ、外筒１４１のテーパー部１４１Ｂに当接して軸方向に移動する。すると、３つの球１４３は、固定ワイヤ１５０を３方向から押圧する。この状態では、固定ワイヤ１５０は前方に引いても前方には移動できない。なぜなら、固定ワイヤ１５０を前方に引こうとすると、固定ワイヤ１５０から摩擦力を受ける球１４３は益々前方に移動しようとし、これにより球１４３が固定ワイヤ１５０を押圧する力が益々大きくなるからである。他方、この状態で、固定ワイヤ１５０を後ろに引くことは可能である。固定ワイヤ１５０を後ろに引いた場合には、固定ワイヤ１５０からの摩擦力を受ける球１４３は固定ワイヤ１５０が後ろに引かれることにより後ろ向きの力を受け、内筒１４２ともども弾性バネ１４４の付勢力に抗して若干後ろに下がる。すると、その部分における外筒１４１の内部空間の径は、図１０に示した状態で球１４３が当接していた部分におけるテーパー部１４１Ｂの径よりも大きいので、球１４３は外筒１４１の内周面側に移動し、球１４３による固定ワイヤ１５０の押圧が解かれる。それ故、図１０に示した状態でも、固定ワイヤ１５０を後ろに引くことが可能なのである。
他方、内筒１４２の内筒先端部１４２Ａを外筒１４１に向かって後方に押し込むと、固定ワイヤ１５０は前方にも、後方にも引けるようになる。内筒先端部１４２Ａを弾性バネ１４４の付勢力に抗して外筒１４１に対して相対的に後ろに下げると、球１４３の固定ワイヤ１５０に対する押圧が解かれるからである。もっとも、上述したように、固定ワイヤ１５０は内筒先端部１４２Ａを外筒１４１に向かって後方に押し込まなくても後方には移動できるのであるから、この操作は事実上、固定ワイヤ１５０を前方に移動させたい場合にのみ行うことになる。
つまり、上述の筒部材１４０は、内筒先端部１４２Ａを外筒１４１に向かって後方に押し込むという特定の操作をしない限り、固定ワイヤ１５０の移動方向を後方のみに規制するものであると言える。
【００４７】
固定ワイヤ１５０の一端側にはループ１５１が設けられている。他端側にもループ１５２が設けられている。
ユーザは、内筒先端部１４２Ａを後方へ、つまり図９、１０で示された状態であれば右へ押しこむことにより、筒部材１４０による固定ワイヤ１５０の前方への移動を行えるようになる。
他方、ユーザが、内筒先端部１４２Ａを後方へ押しこんでいない状態では、筒部材１４０による固定ワイヤ１５０の前方への移動は規制されており、その代わりに固定ワイヤ１５０の後方への移動は許容されている。この状態では、ユーザは、ループ１５１に指を通すなどして、固定ワイヤ１５０を後方へ引っ張ることが可能となる。
【００４８】
以上説明した、遊技機の取付装置１００の使用方法、及び動作について説明する。
まず、取付装置１００を、水平板４１０に固定する。より詳細には、取付装置１００を、前板１１２Ｃの前面を水平板４１０の後面に当接させるとともに、ベース板１１１の上面を水平板４１０の上面に当接させた状態で、水平板４１０に固定する。
次いで、前後方向の適当な位置に、固定具１３０を移動させる。かかる移動は、幕板４３０（場合によっては天板４５０）を開放して、六角レンチにて第２プーリー１１５Ｅを回転させることにより行う。上述のように、第２プーリー１１５Ｅを回転させると、ボルト１１４が回転し、それにより移動部材１２０が前後適当な方向に移動する。なお、ナット１２１は、それが内蔵される移動部材１２０の下端が連結ベース１１２Ａの孔１１２Ａ１の幅の狭い部分に嵌り込んでいて回転を規制されているから、ボルト１１４とともに回転することなく、ボルト１１４が回転すると相対的にボルト１１４に対して前又は後に移動する。移動部材１２０と固定されている固定具１３０はそれにしたがって、前後に移動する。第２プーリー１１５Ｅを回転させるときに、呼出ランプ４２１を制御するための図示せぬ制御回路等と六角レンチが干渉するのであれば、ベルトケース１１５を、前板１１２Ｃの孔１１２Ｃ１を中心として前板１１２Ｃの後面に沿いながら回転させることにより、その干渉を避けることができる。
なお、ワイヤとボルト１１４を接続して、ワイヤを捻ることにより、ボルト１１４を直接回転させることも可能である。ワイヤについては図示をしないが、ガイドワイヤとして周知のものを用いれば良い。この場合、ワイヤの操作する側の端部は、開放した幕板４３０（場合によっては天板４５０）から前方に飛び出していても構わないが、いずれにせよ、開放された幕板４３０（場合によっては天板４５０）から容易に操作できるところにその端部が位置するようにする。ワイヤは曲折可能なので、それが容易である。ワイヤは、常時ボルト１１４に接続されていても良いし、必要に応じてボルト１１４に接続してもよい。
【００４９】
そして、固定具１３０を適当な位置に位置決めしたら、遊技機を固定した枠２００の上枠２１０を顎部１３３の上面と、上挟持板１３１の下面の間に入れ、そしてハンドル１３５を操作して、上枠２１０を顎部１３３の上面と、上挟持板１３１の下面の間でしっかりと挟持する。このとき、上枠２１０が下方に位置して上枠２１０を顎部１３３の上面と、上挟持板１３１の下面の間に入れるのが難しければ、バネ１２３の付勢力に抗して固定具１３０か或いは移動部材１２０を下方に引っ張り、固定具１３０の上下位置の位置合わせを行えば良い。
なお、枠２００の下端は、公知の方法でテーブルに固定する。
続けて、或いは事後的に、第２プーリー１１５Ｅかワイヤを操作することによりボルト１１４を回転させ、遊技機の傾斜角を調整することもできる。
また、この状態でユーザは、筒部材１４０の内筒先端部１４２Ａを後方へ、つまり図９、１０で示された状態であれば右へ押しこむことにより、筒部材１４０による固定ワイヤ１５０の前方への移動を行えるようにした状態で、固定ワイヤを前方に移動させる。そして、枠を一周させるなどした後、固定ワイヤの先端にあるループ１５２を、取付装置１００の蝶ネジ１１５Ｃ等の任意の部分、或いは島４００の任意の部分等に引っ掛ける。その後、筒部材１４０の内筒先端部１４２Ａを後方へ押し込まない状態で、固定ワイヤ１５０を後方へ引っ張る。そのときにユーザは、それが可能な程度にその径が大きくされているループ１５１に指を通すなどすれば良い。そうすると、固定ワイヤ１５０は前方に移動できないので、筒部材１４０よりも先端側の部分にはテンションがかかった状態となる。その状態であれば、万が一取付装置１００が水平板４１０から脱落しそうになったときに、固定ワイヤ１５０が取付装置１００の落下を防ぐ。
【００５０】
遊技機を島４００から取り外す場合には、上述のようにハンドル１３５を操作し、顎部１３３の上面と、上挟持板１３１の下面を離反させれば良い。
【符号の説明】
【００５１】
１１０  ベース部材
１１１  ベース板
１１２  連結部材
１１４  ボルト
１１４Ｄ  第１プーリー
１１６  タイミングベルト
１２０  移動部材
１２１  ナット
１２１Ａ  穴
１２２  ナットケース
１２２Ａ  ナットケース本体
１２２Ｂ  ナットケース蓋
１２３  バネ
１３０  固定具
１３１  上挟持板
１３３  顎部
１３５  ハンドル
１４０  筒部材
１５０  固定ワイヤ
【図１】
2014171686.tif 000003
【図２】
2014171686.tif 000004
【図３】
2014171686.tif 000005
【図４】
2014171686.tif 000006
【図５】
2014171686.tif 000007
【図６】
2014171686.tif 000008
【図７】
2014171686.tif 000009
【図８】
2014171686.tif 000010
【図９】
2014171686.tif 000011
【図１０】
2014171686.tif 000012